(57)【要約】【課題】  キャビネット本体の背面に背面パネルを施工現場で容易に取り付け可能であって、かつ高い寸法精度を必要とせずに仕上がりの美感を向上させることができる対面式キッチンを提供する。【解決手段】  キャビネット本体１０２と、キャビネット本体１０２の上面に配置されたワークトップ１１０と、ワークトップ１１０の背面側縁を立ち上げて形成したバックガード１１８と、キャビネット本体１０２の背面にバックガード１１８と上縁をあわせて配置される背面パネル１２０と、バックガード１１８と背面パネル１２０との合わせ目の上面を覆う上面カバー１３０と、バックガード１１８と背面パネル１２０の合わせ目の上面の端部および上面カバー１３０の端部を覆うキャップ１４０とを備える。【選択図】  図５
2010029528.tif 000002
【特許請求の範囲】
【請求項１】
キャビネット本体と、
前記キャビネット本体の上面に配置されたワークトップと、
前記ワークトップの背面側縁を立ち上げて形成したバックガードと、
前記キャビネット本体の背面に配置される背面パネルと、
前記バックガードと前記背面パネルとの合わせ目の上面を覆う上面カバーと、
前記合わせ目の上面の端部および前記上面カバーの端部を覆うキャップとを備えていることを特徴とする対面式キッチン。
【請求項２】
前記上面カバーの長さは、前記キャビネット本体の背面の露出部分の幅より短く、かつ前記露出部分の幅との差が一端または両端に配置された前記キャップの合計長さより短いことを特徴とする請求項１に記載の対面式キッチン。
【請求項３】
前記上面カバーは、該上面カバーの下面に立設されたリブを有し、
前記リブは、前記背面パネルに固定可能に形成され、前記バックガードと前記背面パネルとの間に配置されることを特徴とする請求項１に記載の対面式キッチン。
【請求項４】
前記キャップの内面に、前記上面カバーの上面に接着する両面テープを備えていることを特徴とする請求項１に記載の対面式キッチン。
【請求項５】
前記キャップは前記上面カバーの長手方向端部から冠着可能であって、前記バックガードまたは前記背面パネルの側面に当接し、該キャップを固定するための固定部を有することを特徴とする請求項１に記載の対面式キッチン。
【請求項６】
前記バックガードと前記背面パネルの合わせ目の側面を覆うサイド化粧板を備えたことを特徴とする請求項１に記載の対面式キッチン。
【発明の詳細な説明】
【技術分野】
【０００１】
本発明は、壁付式のキッチンから極めて簡単な部材および簡易な作業で構成しうる対面式のキッチンに関する。
【背景技術】
【０００２】
従来から、シンクやコンロ、収納などの要素を組み合わせ、ワークトップ（天板）の下にまとめて構成したシステムキッチンが提供され、広く普及している。このようなシステムキッチンは、以前は部屋の壁面に沿って設置されていたが、近年ではキッチンとリビングの間に設置されたり、ダイニングキッチンの中央部に設置されたりする対面式キッチンも多く提供されている。このような対面式キッチンは、調理する者とリビングにいる者が対面することができるため、家族でのコミュニケーションが取りやすいことから好まれている。
【０００３】
システムキッチンが壁付式である場合と対面式である場合とを比較すると、シンクやコンロなどの基本的な機能は同じである。しかし、ワークトップの形状や、バックガードの幅、特に本体の裏側において構造が異なっている。例えば、壁付け式の場合は本体の裏側は隠れてしまって見えることはないため、キャビネットの裏板がむき出しになった状態である。一方、対面式の場合は本体の裏側はリビングに面していることから、化粧板を設置して美感を向上させたり、戸棚を設置して利便性を向上させたりするなど、様々な工夫がなされている。
【０００４】
上記の事情から、システムキッチンを製品化するにあたって、ラインアップに壁付式と対面式がある場合には、別々にモデルを設計し、それぞれを生産することが通常であった。しかし、モデルが増えればその分生産ラインを占有し、また部品数も増加するため生産コストが増大する。また保守のために部品を保管しておかなくてはならないため、その生産にかかる費用、保管にかかる費用なども増大する。そのため、できるだけモデル数の増加は抑えたいという要請がある。
【０００５】
そこで従来からも、特許文献１には、壁付式（コンチネント型）と対面式（アイランド型）の両方に用いることができるキッチンカウンターが提案されている。特許文献１に記載されたキッチンカウンターは、バックガードの上に略水平で板状の補助カウンターを設け、またキッチンキャビネットの後ろ側を覆うように背面パネルを設けた構成である。
【０００６】
また特許文献２には、対面式キッチンキャビネットにおいて、キャビネット本体の背面側に背面パネルを設ける際の取り付け構造について提案されている。特許文献２に記載された対面型キッチンキャビネットにおいては、バックガードの上端と背面パネルの上端部とを、逆角樋形のバックガードカバー（下方に開口した断面コの字のカバー）によって挟み込むことにより、背面パネルを固定している。
【特許文献１】特開２００６−３３４４０号公報
【特許文献２】特開２００５−１２４９７２号公報
【発明の開示】
【発明が解決しようとする課題】
【０００７】
しかし、上記特許文献１の構成は、壁付けにして用いる場合においても背面パネルを備えていることになり、背面に設置した高価な背面パネル（化粧パネル）は無駄となってしまう。また面積の広い補助カウンターは不必要に室内空間を圧迫することになる。いわば対面式システムキッチンを壁付けにして用いるのと同じであって、両用に適しているとは言いがたい。
【０００８】
特許文献２においては、簡単な作業で背面パネルをキャビネット本体の背面側に取り付けることができるとしている。したがって、特許文献２には記載がないが、壁付式のシステムキッチンに背面パネルを取り付けて対面式システムキッチンにできる可能性がある。しかし、コンロ（ＩＨヒータを含む）の上方にはレンジフードが設置されるところ、対面式キッチンにおいても部屋の中に突出した造作壁を設け、コンロ近傍の背面を造作壁に突き当てると共に、レンジフードを造作壁に設置する場合がある。このような場合において、背面パネルおよびカバーはキッチンの背後の造作壁がない部分のみに取り付けることになる。
【０００９】
住宅の壁の一部である造作壁は、内装が施されることが通常である。住宅は一般にモジュール単位（尺モジュールやメーターモジュールなど）で設計されるが、内装に石膏ボード（例えば１２ｍｍ）が貼り付けられたり、薄い壁紙や厚いタイル張りなどの処理が施されるため、最終的な外形寸法には数ミリ〜十数ミリの誤差が生じる。一方、キッチンは工業製品であるため寸法精度が高い。このため、キッチンの幅から造作壁の突出長さを設計寸法に従って減算し、カバーを切断すると、躯体の仕上げ如何に応じて予測できない誤差が生じる。したがって、カバーがキッチンの端部から余分に飛び出したり、逆に寸法が不足する可能性は極めて高い。この寸法誤差は、特に対面型においては端部が使用者の目に留まりやすいことから、美観を損ねるおそれがある。
【００１０】
すなわち、特許文献２の技術によっては、取り付けは確かに簡単であっても、美感を向上させることは難しい。ここで施工現場で造作壁に応じてカバーを切断することも考えられるが、現場に持ち込める工具で高精度の切断加工を行うことは難しい。また端面の処理（面取りや研磨処理）までも現場で行うことは難しく時間もかかるため、施工現場でカバーの寸法あわせをすることは現実的ではない。
【００１１】
さらに従来は、対面型のキッチンは、上記のようなシステムキッチンに限られていた。これはキッチンの背面側がリビングに面するために、全体として一体に形成されたシステムキッチンが対面型に適しており、ワークトップがキャビネットごとに分離した従来型のキッチンは対面型に適していないと考えられていたためである。しかし、比較的低価格帯に多い分離式のキッチンを対面型に変更できれば、低価格での対面型キッチンを実現することが可能となる。
【００１２】
そこで本発明は、キャビネット本体の背面に背面パネルを施工現場で容易に取り付け可能であって、かつ高い寸法精度を必要とせずに仕上がりの美感を向上させることができる対面式キッチンを提供することを目的としている。
【課題を解決するための手段】
【００１３】
上記課題を解決するために、本発明に係る対面式キッチンの代表的な構成は、キャビネット本体と、キャビネット本体の上面に配置されたワークトップと、ワークトップの背面側縁を立ち上げて形成したバックガードと、キャビネット本体の背面に配置される背面パネルと、バックガードと背面パネルとの合わせ目の上面を覆う上面カバーと、合わせ目の上面の端部および上面カバーの端部を覆うキャップとを備えていることを特徴とする。
【００１４】
上記構成によれば、キャビネット本体の背面に背面パネルを取り付けて簡単に壁付式のキッチンを対面式に変更することができる。このとき、バックガードと背面パネルの上面を上面カバーで覆い、かつ上面カバーの端部をキャップによって覆うことにより、各部材に高い寸法精度を必要とせずに、仕上がりの美感を向上させることができる。
【００１５】
上面カバーの長さ（長手方向の長さ）は、キャビネット本体の背面の露出部分の幅より短く、かつ露出部分の幅との差が一端または両端に配置されたキャップの合計長さより短いことが好ましい。さらには、上面カバーの端部がキャップの略中央に位置する長さとすることが好ましい。これにより、上面カバーの寸法公差が大きくても、その端部を余裕を持って確実にキャップで覆うことができる。
【００１６】
上面カバーはアルミニウムの押出成形材であってもよい。押出成形材は、長尺の部材を安価に製造することができる。また押出成形材の場合は長い母材を適宜必要な寸法に切断して用いるが、その際の寸法公差を厳密にする必要がないため、本発明に係るキッチンにおいて特に適している。
【００１７】
上面カバーは、上面カバーの下面に立設されたリブを有し、リブは、背面パネルに固定可能に形成され、バックガードと背面パネルとの間に配置されていてもよい。これにより、上面カバーを背面パネルに確実に固定することができ、かつねじ等の固定部材が外部に露出しないため、美感を向上させることができる。
【００１８】
キャップの内面に、上面カバーの上面に接着する両面テープを備えていてもよい。これにより、キャップを取り付けると同時に接着して固定することができ、さらに施工容易性を向上させることができる。
【００１９】
キャップは上面カバーの長手方向端部から冠着可能であって、バックガードまたは背面パネルの側面に当接し、キャップを固定するための固定部を有していてもよい。これにより、確実に上面カバーの不足部分を覆うことができ、上面パネルとのずれを防止しつつ、かつバックガードまたは背面パネルの端部とキャップの端部が必然的に一致するように位置決めすることができるため、さらに施工容易性を向上させることができる。
【００２０】
バックガードと背面パネルの合わせ目の側面を覆うサイド化粧板を備えていてもよい。これにより、キッチンの側面も覆うことができ、さらに美感を向上させることができる。
【発明の効果】
【００２１】
本発明によれば、キャビネット本体の背面に背面パネルを取り付けて簡単に壁付式のキッチンを対面式に変更することができ、またバックガードと背面パネルの上面を上面カバーで覆い、かつ上面カバーの端部をキャップによって覆うことにより、各部材に高い寸法精度を必要とせずに、仕上がりの美感を向上させることができる。
【発明を実施するための最良の形態】
【００２２】
本発明に係る対面式キッチンの実施形態について、図を用いて説明する。図１は対面式キッチンの要部分解説明図、図２は上面カバーを説明する図、図３はキャップを説明する図、図４は組み立て工程を説明する図、図５は取り合いを説明する図、図６はサイド化粧板を取り付けた例を示す図である。
【００２３】
図１に示す対面式キッチン（以下、単に「キッチン１００」という。）は、キャビネット本体（以下、単に「本体１０２」という。）の上面に、人工大理石やステンレス鋼からなるワークトップ１１０を備えている。ワークトップ１１０の上には、作業スペース１１２やシンク１１４、水栓１１６、コンロ（不図示）などが備えられている。ワークトップ１１０の背面側縁には、立ち上げられた（上方に屈曲した形状の）バックガード１１８が形成されている。バックガード１１８は水返しとも呼ばれ、ワークトップ１１０上の水が本体１０２の後ろに流れることを防止するために設けられている。ワークトップ１１０の裏面には、剛性を確保するために合板などの裏打ち板が貼り合わされている。また本体１０２は前面に引出や扉を備え、内部に収納スペースを有している（いずれも不図示）。
【００２４】
キッチン１００を壁付式として設置する場合には、上記説明した本体１０２およびワークトップ１１０があればよい。この状態において、本体１０２の背面にはキャビネットの裏板（例えばベニヤ板）が露出した状態となっているが、壁面と相対してしまうために外部から観察することはできない。なおキャビネットの側面も同様に裏板が露出しているため、側面を壁付けしない場合には、サイド化粧板（図６参照）を取り付ける。
【００２５】
キッチン１００を対面式として設置する場合には、さらに背面パネル１２０と、上面カバー１３０と、キャップ１４０とを取り付ける。以下にそれぞれについて説明する。
【００２６】
背面パネル１２０は化粧パネルであって、例えば合板に樹脂シートを被覆して構成することができる。背面パネル１２０の幅はワークトップ１１０の横幅と略等しく形成されている。背面パネル１２０は後述するようにバックガード１１８の背面側に配置される。なお、図では背面パネル１２０とバックガード１１８との上縁をあわせて配置するよう示しているが、上面カバー１３０にその上縁が収容される範囲において、これらの高さは適宜設定することができる。背面パネル１２０の高さは床面からバックガード１１８の上縁までの高さと略同じとしてよいが、床上１０ｃｍ分程度を短く形成することにより、キッチン１００の背面側に蹴込みを形成することができる。
【００２７】
上面カバー１３０は、図２に示すように、下方に向かって開口した略コの字型をしており、バックガード１１８と背面パネル１２０の両方の上面を覆うことにより、これらの合わせ目を覆う構成になっている。
【００２８】
上面カバー１３０の下面、すなわち内面には、下方に向かって立設されたリブ１３２を有している。リブ１３２は数カ所のねじ穴１３４を設けてあり、上面カバー１３０を背面パネル１２０に締結固定することができるように構成されている。またリブ１３２は、背面パネル１２０を本体１０２に取り付けた際には、バックガード１１８と背面パネル１２０との間に配置される。
【００２９】
上面カバー１３０は同一断面形状の長尺部材であって、例えばアルミニウムの押出成形材とすることができる。押出成形材は、長尺の部材を安価に製造することができる。また押出成形材の場合は長い母材を適宜必要な寸法に切断して用いるが、その際の寸法公差を厳密にする必要がないため、本発明に係るキッチンにおいて特に適している。
【００３０】
キャップ１４０は、図３に示すように、上面カバー１３０の端部近傍を覆う被覆部１４２と、背面パネル１２０の側面に締結固定するための固定部１４４を備えている。被覆部１４２は上面カバー１３０のさらに上面（外側）を覆うように下方に向かって開口した略コの字型をしており、かつ上面カバー１３０の縁部を包み込むように折り返し１４２ａが形成されている。固定部１４４は被覆部１４２の下面に立設された板状のリブであって、ねじ穴１４６が形成されている。なお図では背面パネル１２０に締結する位置に固定部１４４およびねじ穴１４６が配置されているが、バックガード１１８の側面に締結固定する位置に設けてもよい。
【００３１】
キャップ１４０は上面カバー１３０を延長する役割を有し、上面カバー１３０の端部に取り付けられることにより、バックガード１１８と背面パネル１２０の合わせ目の上面の端部と、上面カバー１３０の端部を覆う。したがって、上面カバー１３０がバックガード１１８に対して長さが足りていなかったとしても、被覆部１４２の長さ分だけは、バックガード１１８および背面パネル１２０の上面の端部を覆って隠すことができる。
【００３２】
上記構成のキッチン１００について、図４を用いて、壁付式の状態から対面式に変更する際の段取りについて説明する。図４（ａ）に示すように、まず背面パネル１２０の上端に上面カバー１３０をかぶせる。リブ１３２のねじ穴１３４からネジ１３８によって上面カバー１３０を背面パネル１２０に締結固定する。これにより、上面カバー１３０を背面パネル１２０に確実に固定することができ、かつねじ等の固定部材が外部に露出しないため、美感を向上させることができる。
【００３３】
次に図４（ｂ）に示すように、背面パネル１２０を本体１０２の背面にあてがい、ネジ１０４によって本体１０２と背面パネル１２０とを締結する。背面パネル１２０の本体１０２側には係止金具１０６ａが設けられており、本体１０２の背面側にはこれに対応する係合金具１０６ｂが設けられている。係止金具１０６ａは舌状の金具であって、背面パネル１２０から引き起こされて下方に垂下している。係合金具１０６ｂは上方に開口したポケット状の断面コの字形の金具である。したがって係止金具１０６ａを係合金具１０６ｂに挿入して係合させることにより、背面パネル１２０を本体１０２に対して仮固定および位置決めを行うことができる。
【００３４】
図４（ｃ）に示すように、キャップ１４０の被覆部１４２の内面には、上面カバー１３０の上面に接着する両面テープ１４８が取り付けられている。両面テープ１４８から剥離紙１４８ａを剥がした状態で、図４（ｄ）に示すように、キャップ１４０を上面カバー１３０の端部に冠着させる。これにより、確実に上面カバーの不足部分を覆うことができ、上面パネルとのずれを防止させることができる。その際に、まだ両面テープ１４８が上面カバー１３０の上面に接着しないようにする。
【００３５】
そして図４（ｅ）に示すように、キャップ１４０の固定部１４４を背面パネル１２０の当接させる。そして、両面テープ１４８を上面カバー１３０の上面に接着させる。これにより、キャップ１４０を取り付けると同時に接着して固定することができる。続いて、固定部１４４に設けたねじ穴１４６からネジ１４９によってキャップ１４０を締結固定する。このように、固定部１４４をバックガードまたは背面パネルの端部に当接させることにより、これらとキャップの端部の位置が必然的に一致するように、キャップ１４０を位置決めすることができる。
【００３６】
上記の作業により、各部材の取り合い（位置関係）は図５に示す状態となる。図に示すように、上面カバー１３０の長さが背面パネル１２０やバックガード１１８より短かったとしても、キャップ１４０によって覆い隠される。従って、バックガード１１８の幅に対し、上面カバー１３０の長さおよび背面パネル１２０の幅については、厳密な寸法精度を必要とせずに、仕上がりの美感を向上させることができる。
【００３７】
なお、上面カバー１３０の長さ（長手方向の長さ）は、キャビネット本体１０２の背面の露出部分の幅より短く、かつ露出部分の幅との差が一端または両端に配置されたキャップ１４０の合計長さより短いことが好ましい。さらには、上面カバー１３０の端部がキャップの略中央に位置する長さとすることが好ましい。これにより、上面カバー１３０の寸法公差が大きくても、その端部を余裕を持ってキャップ１４０で覆うことができる。
【００３８】
上記説明した如く、キャビネット本体１０２の背面に背面パネル１２０を取り付けて簡単に壁付式のキッチンを対面式に変更することができる。したがって、設置する現場において壁付式のキッチンを対面式に変更することができ、在庫管理および配送が極めて容易となる。またバックガード１１８と背面パネル１２０の上面を上面カバー１３０で覆い、かつ上面カバー１３０の端部をキャップ１４０によって覆うことにより、各部材に高い寸法精度を必要とせずに、仕上がりの美感を向上させることができる。
【００３９】
なお、キッチン１００の側面を壁付けしない場合には、図６に示すように、サイド化粧板１０８を取り付ける。サイド化粧板１０８は、本体１０２の側面および背面パネル１２０の側面を覆う幅とすることができる。これにより、キャップ１４０の側面を含むキッチン１００の側面を完全に覆うことができ、さらに美感を向上させることができる。
【００４０】
図７は本発明にかかる対面型キッチンの他の構成を説明する図である。キッチン２００は、システムキッチンではなく、各キャビネットのワークトップが分離した従来型のキッチンである。キッチン２００は、シンクキャビネット２０２、作業キャビネット２０４、コンロキャビネット２０６から構成されている。これらは適宜組み合わせて配列することによって全体としてキッチン２００を構成する。
【００４１】
また図７に示す例では、部屋の中に造作壁２１０が設けられており、この造作壁２１０にレンジフード２０８が取り付けられている。そしてキッチン２００は、コンロキャビネット２０６の背面を造作壁２１０に当接させて、ガス台（ＩＨヒータの場合であっても同様である）をレンジフード２０８の直下に配置する。すなわち、キッチン２００の背面の一部は造作壁２１０によって覆われ、シンクキャビネット２０２および作業キャビネット２０４の背面のみが露出する。
【００４２】
上記構成において背面パネル１２０は、キッチン２００の本体１０２の背面の露出部分のみに配置すればよい。したがって上面カバー１３０も同様に、露出部分のバックガード１１８と背面パネル１２０との合わせ目の上面を覆う長さのものを取り付ける。
【００４３】
このように、分離式のキッチンであっても、本発明を適用することにより、簡単に壁付式のキッチンを対面式に変更することができる。また背面パネル１２０および上面カバー１３０は、必ずしも本体背面の全幅にわたって配置する必要はなく、露出部分のみを覆うよう配置すればよい。
【００４４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４５】
本発明は、壁付式のキッチンから極めて簡単な部材および簡易な作業で構成しうる対面式のキッチンとして利用することができる。
【図面の簡単な説明】
【００４６】
【図１】対面式キッチンの要部分解説明図である。
【図２】上面カバーを説明する図である。
【図３】キャップを説明する図である。
【図４】組み立て工程を説明する図である。
【図５】取り合いを説明する図である。
【図６】サイド化粧板を取り付けた例を示す図である。
【図７】キッチンの他の構成を説明する図である。
【符号の説明】
【００４７】
１００…キッチン、１０２…本体、１０４…ネジ、１０６…スペーサー、１ ０８…サイド化粧板、１１０…ワークトップ、１０６ａ…係止金具、１０６ｂ…係合金具、１１２…作業スペース、１１４…シンク、１１６…水栓、１１８…バックガード、１２０…背面パネル、１３０…上面カバー、１３２…リブ、１３４…ねじ穴、１３８…ネジ、１４０…キャップ、１４２…被覆部、１４２ａ…折り返し、１４４…固定部、１４６…ねじ穴、１４８…両面テープ、１４８ａ…剥離紙、１４９…ネジ、２００…キッチン、２０２…シンクキャビネット、２０４…作業キャビネット、２０６…コンロキャビネット、２０８…レンジフード、２１０…造作壁
【図１】
2010029528.tif 000003
【図２】
2010029528.tif 000004
【図３】
2010029528.tif 000005
【図４】
2010029528.tif 000006
【図５】
2010029528.tif 000007
【図６】
2010029528.tif 000008
【図７】
2010029528.tif 000009